(57)【要約】【課題】パーマネント施術における還元処理に要する時間を短縮する。【解決手段】吐気ガン２はイオン発生器２ａを内蔵し、窒素ボンベ３から供給された窒素ガスをマイナスイオン化して吐出する。還元処理時に、マイナスイオン化した窒素ガスを吐気ガン２から毛髪に吹き付けると、マイナスイオン化された窒素ガスに由来する電子によって還元剤による還元作用が促進される。これにより、毛髪の還元処理に要する時間が短縮される。【選択図】  図１
2007209462.tif 000002
【特許請求の範囲】
【請求項１】
毛髪に塗布した還元剤により毛髪中のシスチン結合を還元開鎖する還元工程が含まれるパーマネント施術方法において、
前記還元剤を塗布した毛髪にマイナスイオン化した気体を供給する
ことを特徴とするパーマネント施術方法。
【請求項２】
請求項１記載のパーマネント施術方法において、
前記気体は窒素である
ことを特徴とするパーマネント施術方法。
【請求項３】
流入した気体をマイナスイオン化するイオン発生器と、
該マイナスイオン化された気体を毛髪に吹き付けるためのブロー手段と
を備えたことを特徴とするパーマネント施術用装置。
【請求項４】
前記イオン発生器に窒素を供給するための窒素ボンベを備えることを特徴とする請求項３記載のパーマネント施術用装置。
【請求項５】
前記イオン発生器に窒素を供給するための窒素発生装置を備えることを特徴とする請求項３記載のパーマネント施術用装置。
【発明の詳細な説明】
【技術分野】
【０００１】
本発明は、毛髪のパーマネント施術の技術分野に属する。
【背景技術】
【０００２】
毛髪のパーマネント施術方法には、ロッドに毛髪を巻き付け、ロッドに巻き付けられた毛髪に対して還元剤を塗布して、その還元剤の働きで毛髪中のシスチン結合を還元開鎖することで毛髪を柔軟化させ、その後に、毛髪に塗布した酸化剤の働きで毛髪中のシスチン結合を閉鎖してから毛髪をロッドから外す手順によって、毛髪にウェーブを与えるものがある。
【特許文献１】特開２００５−２９６３５１号公報
【発明の開示】
【発明が解決しようとする課題】
【０００３】
還元剤（第１剤）はアルカリ性の薬液であることが多く、その刺激臭が被術者（顧客）を不快にすることがあった。また、還元剤による毛髪の還元処理には比較的長時間（例えば１５分程）を要していた。
【０００４】
このため、不快な時間はできるだけ短い方が良いという顧客の立場から、また美容院の立場からすれば主に効率化を理由として、還元処理に要する時間の短縮が求められていた。
【課題を解決するための手段】
【０００５】
請求項１記載のパーマネント施術方法は、
毛髪に塗布した還元剤により毛髪中のシスチン結合を還元開鎖する還元工程が含まれるパーマネント施術方法において、
前記還元剤を塗布した毛髪にマイナスイオン化した気体を供給する
ことを特徴とする。
【０００６】
請求項１記載のパーマネント施術方法においては、毛髪中のシスチン結合を還元開鎖するための還元剤を塗布した毛髪にマイナスイオン化した気体を供給するので、そのマイナスイオンに由来する電子によって還元作用が促進される。これにより、シスチン結合を切断する効果が飛躍的に向上し、毛髪の還元処理に要する時間が短縮される。
【０００７】
マイナスイオン化する気体には、その用途から自ずと安全であることが要求される。例えば刺激性、毒性、可燃性等を持つものは好ましくない。また、酸素を含む気体（例えば空気）は、酸素の酸化作用が還元処理を害するので好ましくない。従って、安全性が高く、また酸素を含まない気体を用いるのが好ましい。
【０００８】
こうした気体であって、入手が容易かつ安価であることから請求項２に記載の窒素が推奨される。
請求項１の発明を実施するには、請求項３、４又は５記載のパーマネント施術用装置を使用すればよい。
【０００９】
請求項３記載のパーマネント施術用装置は、
流入した気体をマイナスイオン化するイオン発生器と、
該マイナスイオン化された気体を毛髪に吹き付けるためのブロー手段と
を備えたことを特徴とする。
【００１０】
イオン発生器は公知のもの、例えば放電によって気体を負に帯電させる構造のものを使用すればよい。
マイナスイオン化された気体を毛髪に吹き付けるためのブロー手段としては、手持ち型などで被術者の頭部に気体を吹き付ける構成、被術者の頭部に被せたキャップ内に気体を吐出する構成等を採用でき、特に限定されない。また、気体に吐出圧を与えるためのファン等を備えていてもよい。
【００１１】
請求項４記載のように、前記イオン発生器に窒素を供給するための窒素ボンベを備えれば、上記のファン等を必要としないので、ブロー手段の構成が簡単になる。
なお、大規模な美容院などでは、窒素ボンベの代わりに空気から窒素を分離する窒素発生装置を用いてもよい。すなわち、請求項５記載のように、前記イオン発生器に窒素を供給するための窒素発生装置を備えることを特徴とするパーマネント施術用装置を用いればよい。
【発明を実施するための最良の形態】
【００１２】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
図１に示すように、本実施例のパーマネント施術用装置１は、ブロー手段となる吐気ガン２を備えている。この吐気ガン２はヘアドライヤと同様の形態であるが、ヒータやファンを内蔵しているわけではなく、流入してきた気体をマイナスイオン化するイオン発生器２ａを内蔵している。
【００１３】
そして、吐気ガン２には、窒素ボンベ３がホース３ａにて連結され、また制御ボックス４がケーブル４ａにて接続されている。
制御ボックス４には電源装置やスイッチ等（いずれも図示は省略）が備わっており、制御ボックス４から吐気ガン２に供給する電源を制御できる。
【００１４】
吐気ガン２には窒素ボンベ３から窒素ガスが供給され、その窒素ガスをイオン発生器２ａにてマイナスイオン化して吐出できる。なお、吐気ガン２に装備された操作スイッチ（図示略）を操作することにより、窒素ボンベ３から吐気ガン２への窒素の供給及びイオン発生器２ａをオン、オフできる。
【００１５】
一般にパーマネント施術は、シャンプー、ワインドローション、ロッド巻き付け、還元剤（第１剤）塗布、放置、酸化剤（第２剤）塗布、プレーンリンスの順に行われる。
このプロセス中の還元剤（第１剤）塗布は、その還元剤の働きで毛髪中のシスチン結合を還元開鎖することで毛髪を柔軟化させるために行われる。そのために還元剤を塗布した状態で適宜時間放置（還元処理）する。
【００１６】
このパーマネント施術用装置１は、この還元処理において使用される。
具体的には、窒素ボンベ３から吐気ガン２へ窒素ガスを供給し、その窒素ガスをイオン発生器２ａにてマイナスイオン化して、吐気ガン２から吐出させて還元剤が塗布されている毛髪に吹き付ける。すると、マイナスイオン化された窒素ガスに由来する電子によって還元剤による還元作用が促進される。これにより、毛髪の還元処理に要する時間が短縮される。
【００１７】
モニタによる実験では、このパーマネント施術用装置１にて上記のようにマイナスイオン化された窒素ガスを還元剤が塗布されている毛髪に吹き付けると、従来方法（還元剤を塗布して放置）による所要時間を約１／３に短縮できた。
【００１８】
吐気ガン２に窒素ガスを供給して吐出するための送気圧は窒素ボンベ３の圧力によるので（言うまでもないが、レギュレータによって減圧されている。）、送気のためのファン等を備える必要はなく、吐気ガン２等の構成を単純にできる。
【００１９】
なお、吐気ガン２にてマイナスイオン化された窒素ガスを還元剤が塗布されている毛髪に吹き付ける際に、被術者の頭部にヘアキャップを被せて、そのヘアキャップ内にマイナスイオン化された窒素ガスを吐出すると、窒素ガスが分散しないので効率が良くなり、一層の時間短縮が可能になる。つまり、ヘアキャップの使用が好ましい。
［実施例２］
実施例１ではヘアドライヤ様の吐気ガン２を用いているが、還元処理時にフード（いわゆる「お釜」）を用いる場合、このフードをブロー手段とすることができる。その例を実施例２として説明する。
【００２０】
図２に示すように、このパーマネント施術用装置１ａではフード５が用いられる。なお、窒素ボンベ３及び制御ボックス４は実施例１と同じものである。
フード５と支柱７との連結部にはイオン発生器６が設置されており、実施例１と同様に窒素ボンベ３がホース３ａにより、また制御ボックス４がケーブル４ａによってイオン発生器６に接続されている。また、イオン発生器６に流入した窒素ガスは、フード５の内腔に流出する。
【００２１】
このような構成であるから、窒素ボンベ３からイオン発生器６に窒素ガスを供給し、これをイオン発生器６にてマイナスイオン化してフード５の内腔に吐出することができる。
このパーマネント施術用装置１ａは実施例１と同様に毛髪に塗布した還元剤による還元処理時に使用される。ただし、毛髪に還元剤を塗布した被術者の頭部をフード５内に収容して、上述のようにマイナスイオン化された窒素ガスをフード５の内腔に放出して、還元剤が塗布されている毛髪に吹き付ける。すると、マイナスイオン化された窒素ガスに由来する電子によって還元剤による還元作用が促進される。これにより、毛髪の還元処理に要する時間が短縮される。
【００２２】
モニタによる実験では、このパーマネント施術用装置１ａにても実施例１と同様に、従来方法よりも所要時間を大幅に短縮できた。
フード５に窒素ガスを供給して吐出するための送気圧は窒素ボンベ３の圧力によるので（言うまでもないが、レギュレータによって減圧されている。）、送気のためのファン等を備える必要はなく、構成を単純にできる。
［その他］
実施例１、２とも、イオン発生器に窒素ガスを供給するために窒素ボンベを用いているが、この窒素ボンベの代わりに、空気から窒素を分離する窒素発生装置を用いてもよい。
【図面の簡単な説明】
【００２３】
【図１】実施例１のパーマネント施術用装置の説明図。
【図２】実施例２のパーマネント施術用装置の説明図。
【符号の説明】
【００２４】
１、１ａ・・・パーマネント施術用装置、
２・・・吐気ガン、
２ａ、６・・・イオン発生器、
３・・・窒素ボンベ、
４・・・制御ボックス、
５・・・フード。
【図１】
2007209462.tif 000003
【図２】
2007209462.tif 000004